(57)【要約】【課題】端子台における電線接続状態を容易に確認することができる配線管理用管理装置を提供する。【解決手段】複数の電線Ｄが端子台Ｔを経由して接続された配線回路Ｇを管理する配線回路用管理装置であって、電線Ｄの夫々における端子台Ｔとの接続側端部に、当該電線Ｄの固有識別情報を記憶するＩＣタグが設けられ、端子台Ｔにおける複数の電線接続部の夫々に、当該電線接続部に接続された電線Ｄの接続側端部に設けたＩＣタグが記憶する固有識別情報を読み取るリーダーが設けられ、配線回路Ｇを管理する管理部Ｈが、リーダーの読み取り情報及びリーダーの位置情報に基づいて、端子台Ｔの電線接続部と当該電線接続部に接続された電線Ｄとの関係を示す配線情報を画像表示部Ｓに表示するように構成されている。【選択図】図１
2018164350.tif 000002
【特許請求の範囲】
【請求項１】
複数の電線が端子台を経由して接続された配線回路を管理する配線回路用管理装置であって、
前記電線の夫々における前記端子台との接続側端部に、当該電線の固有識別情報を記憶するＩＣタグが設けられ、
前記端子台における複数の電線接続部の夫々に、当該電線接続部に接続された前記電線の前記接続側端部に設けた前記ＩＣタグが記憶する前記固有識別情報を読み取るリーダーが設けられ、
前記配線回路を管理する管理部が、前記リーダーの読み取り情報及び前記リーダーの位置情報に基づいて、前記端子台の前記電線接続部と当該電線接続部に接続された前記電線との関係を示す配線情報を画像表示部に表示するように構成されている配線回路用管理装置。
【請求項２】
前記管理部が、前記端子台及び前記電線を疑似画像にて表示する形態で前記配線情報を前記画像表示部に表示するように構成されている請求項１記載の配線回路用管理装置。
【請求項３】
前記端子台に、複数の前記電線接続部の夫々に対応して当該電線接続部であることを点灯表示する点灯表示部が設けられ、
前記端子台における複数の前記電線接続部の１つを指定する指定部が設けられ、
前記管理部が、前記指定部にて前記電線接続部が指定されると、指定された前記電線接続部に対応する前記点灯表示部を点灯表示させるように構成されている請求項１又は２記載の配線回路用管理装置。
【請求項４】
前記点灯表示部として、前記電線を外すことを点灯表示する解線用表示部と、前記電線を接続することを点灯表示する結線用表示部とが設けられ、
前記指定部が、前記電線を外すことを示す解線情報と前記電線を接続することを示す結線情報とを指令する形態で、前記電線接続部を指定するように構成され、
前記管理部が、指定された前記電線接続部が前記解線情報を指令されている場合には、前記解線用表示部を点灯表示させ、且つ、指定された前記電線接続部が前記結線情報を指令されている場合には、前記結線用表示部を点灯表示させるように構成されている請求項３記載の配線回路用管理装置。
【請求項５】
複数の電線接続部を備えた端子台であって、前記複数の電線接続部の夫々に、当該電線接続部に接続された電線の接続側端部に設けたＩＣタグが記憶する情報を読み取るリーダーが設けられている端子台。
【発明の詳細な説明】
【技術分野】
【０００１】
本発明は、複数の電線が端子台を経由して接続された配線回路を管理する配線回路用管理装置および端子台に関する。
【背景技術】
【０００２】
発電所、ガス製造所等の工場設備においては、各種の情報の通信や各種の機器への電力供給等を目的として、端子台を経由して多数の電線を接続する配線回路が備えられる。
ちなみに、このような配線回路は、一般に、制御盤や配電盤等に設けられる。
【０００３】
このような配線回路を管理するための配線回路用管理装置の従来例として、電線の夫々における端子台との接続側端部に、当該電線の固有識別情報を記憶する電線側のＩＣタグを設け、電線を接続する端子台に、当該端子台の固有識別情報を記憶する端子側のＩＣタグを設ける。そして、端子台における電線の接続状態を管理するために、作業者が、端子側のＩＣタグ及び電線側のＩＣタグを、リーダーにて読み取り、それらの読み取り情報及び端子台の結線位置情報をコンピュータに送り、コンピュータが、端子側のＩＣタグの固有情報に基づいて、記憶した端子台における結線情報を示す図面情報を読み出し、その図面情報に基づいて電線の接続状態を確認するように構成されたものがある（例えば、特許文献１（段落〔００３３〕〔００３４〕参照。）
【０００４】
特許文献１には、端子台の結線位置情報についての詳細な説明が省略されているが、電線側のＩＣタグを備えた電線の端子台に対する接続位置を示す位置情報であると考えることができる。
【先行技術文献】
【特許文献】
【０００５】
【特許文献１】特許第４５６５４１３号公報
【発明の概要】
【発明が解決しようとする課題】
【０００６】
従来の配線回路用管理装置においては、端子台における電線の接続状態を確認するには、作業者が、端子側のＩＣタグ及び電線側のＩＣタグをリーダーにて読み取らなければならない面倒があり、しかも、読み取り情報をコンピュータに送信する際に、端子台の結線位置情報を別途送信しなければならない面倒があるため、端子台における電線接続状態を確認する作業が、手間が掛かる煩わしい作業となるものであった。
【０００７】
本発明は、上記実情に鑑みて為されたものであって、その目的は、端子台における電線接続状態を容易に確認することができる配線管理用管理装置を提供する点にある。
【課題を解決するための手段】
【０００８】
本発明の配線回路用管理装置は、複数の電線が端子台を経由して接続された配線回路を管理するものであって、その特徴構成は、
前記電線の夫々における前記端子台との接続側端部に、当該電線の固有識別情報を記憶するＩＣタグが設けられ、
前記端子台における複数の電線接続部の夫々に、当該電線接続部に接続された前記電線の前記接続側端部に設けた前記ＩＣタグが記憶する前記固有識別情報を読み取るリーダーが設けられ、
前記配線回路を管理する管理部が、前記リーダーの読み取り情報及び前記リーダーの位置情報に基づいて、前記端子台の前記電線接続部と当該電線接続部に接続された前記電線との関係を示す配線情報を画像表示部に表示するように構成されている点にある。
【０００９】
尚、上記の「リーダーの位置情報」とは、リーダーが装着されている端子台を他の端子台と区別するための情報、及び、当該端子台における複数の電線接続部のうちのいずれに対してリーダーが設置されているかを示す情報を含む情報であり、端子台の設置や端子台に対するリーダーの設置に応じて、予め管理部に入力する情報である。
【００１０】
すなわち、電線の夫々における端子台との接続側端部に、当該電線の固有識別情報を記憶するＩＣタグが設けられ、端子台における複数の電線接続部の夫々に設けたリーダーにて、当該電線接続部に接続される電線に設けたＩＣタグが記憶する固有識別情報が読み取られる。
そして、配線回路を管理する管理部が、リーダーの読み取り情報及びリーダーの位置情報に基づいて、端子台に対する電線の接続状態を把握して、端子台の電線接続部と当該電線接続部に接続された電線との関係を示す配線情報を画像表示部に表示することになる。
【００１１】
したがって、作業者は、端子台における電線接続状態を確認する際には、画像表示部に表示された配線情報を読み取ることにより、端子台に対する電線の接続状態を確認することができる。
【００１２】
つまり、ＩＣタグを備えた電線を端子台の電線接続部に接続しさえすれば、端子台の電線接続部と当該電線接続部に接続された電線との関係を示す配線情報が、自動的に画像表示部に表示されるものとなるから、端子台に対する電線の接続状態の確認を容易に行うことができる。
【００１３】
要するに、本発明の配線回路用管理装置の特徴構成によれば、端子台における電線接続状態を容易に確認することができる。
【００１４】
本発明の配線回路用管理装置の更なる特徴構成は、前記管理部が、前記端子台及び前記電線を疑似画像にて表示する形態で前記配線情報を前記画像表示部に表示するように構成されている点にある。
【００１５】
すなわち、端子台の電線接続部と当該電線接続部に接続された電線との関係を示す配線情報が、端子台及び電線を疑似画像にて表示する形態で画像表示部に表示されるものとなるから、端子台及び電線を疑似画像にて認識できるため、配線情報の確認が行い易いものとなる。
【００１６】
要するに、本発明の配線回路用管理装置の更なる特徴構成によれば、配線情報の確認が行い易い。
【００１７】
本発明の配線回路用管理装置の更なる特徴構成は、前記端子台に、複数の前記電線接続部の夫々に対応して当該電線接続部であることを点灯表示する点灯表示部が設けられ、
前記端子台における複数の前記電線接続部の１つを指定する指定部が設けられ、
前記管理部が、前記指定部にて前記電線接続部が指定されると、指定された前記電線接続部に対応する前記点灯表示部を点灯表示させるように構成されている点にある。
【００１８】
すなわち、端子台における複数の電線接続部の１つを指定部にて指定すれば、指定された電線接続部に対応する点灯表示部が点灯表示されることになる。
つまり、電線の外しや接続を行う配線作業の際に、端子台における複数の電線接続部の１つを指定部にて指定すれば、点灯表示部の点灯表示によって、配線作業を行うことになる対象とする電線接続部を的確に認識させることができる。
【００１９】
したがって、電線の外しや接続を行う配線作業の際に、配線作業を行うことになる対象とする電線接続部を的確に認識させることができるから、対象とする電線接続部を誤ることなく、配線作業を良好に行うことができる。
【００２０】
要するに、本発明の配線回路用管理装置の更なる特徴構成によれば、対象とする電線接続部を誤ることなく、配線作業を良好に行うことができる。
【００２１】
本発明の配線回路用管理装置の更なる特徴構成は、前記点灯表示部として、前記電線を外すことを点灯表示する解線用表示部と、前記電線を接続することを点灯表示する結線用表示部とが設けられ、
前記指定部が、前記電線を外すことを示す解線情報と前記電線を接続することを示す結線情報とを指令する形態で、前記電線接続部を指定するように構成され、
前記管理部が、指定された前記電線接続部が前記解線情報を指令されている場合には、前記解線用表示部を点灯表示させ、且つ、指定された前記電線接続部が前記結線情報を指令されている場合には、前記結線用表示部を点灯表示させるように構成されている点にある。
【００２２】
すなわち、電線を外す作業を行う場合には、指定部にて解線情報を指令しながら電線接続部を指定すれば、点灯表示部としての解線用表示部が点灯表示することになる。
また、電線を接続する作業を行う場合には、指定部にて結線情報を指令しながら電線接続部を指定すれば、点灯表示部としての結線用表示部が点灯表示することになる。
【００２３】
このように、電線を外す作業を行う場合には、解線用表示部を点灯表示させ、電線を接続する作業を行う場合には、結線用表示部を点灯表示させることができるから、電線接続部に対する配線作業が、電線を外す作業であるかあるいは電線を接続する作業であるかを的確に認識させるようにしながら、電線接続部に対する配線作業を一層良好に行わせることができる。
【００２４】
要するに、本発明の配線回路用管理装置の更なる特徴構成によれば、電線接続部に対する配線作業を一層良好に行わせることができる。
【００２５】
本発明の端子台は、複数の電線接続部を備えたものであって、その特徴構成は、前記複数の電線接続部の夫々に、当該電線接続部に接続された電線の接続側端部に設けたＩＣタグが記憶する情報を読み取るリーダーが設けられている点にある。
【００２６】
本発明の端子台は、電線接続部に接続された電線の接続側端部に設けたＩＣタグが記憶する情報をリーダーにて読み取ることができるものであるから、上記した配線回路用管理装置に良好に使用できる。
【図面の簡単な説明】
【００２７】
【図１】配線回路用管理装置の概略図
【図２】端子台を示す一部省略平面図
【図３】ディスプレイに表示された配線情報を示す図
【図４】端子台に対する配線の改造状態を示す図
【図５】ディスプレイに表示された配線情報を示す図
【図６】端子台に対する配線の改造手順を示す図
【図７】ディスプレイに表示された配線情報を示す図
【図８】端子台に対する配線の改造手順を示す図
【図９】ディスプレイに表示された配線情報を示す図
【図１０】端子台に対する配線の改造手順を示す図
【図１１】ディスプレイに表示された配線情報を示す図
【図１２】端子台に対する配線の改造手順を示す図
【図１３】ディスプレイに表示された配線情報を示す図
【図１４】端子台に対する配線の改造手順を示す図
【発明を実施するための形態】
【００２８】
以下、本発明の実施形態を、図面に基づいて説明する。
（配線回路について）
複数の電線Ｄが端子台Ｔを経由して接続される配線回路Ｇは、多数の端子台Ｔを備えて多数の電線Ｄを接続するものであるが、本実施形態においては、図１に示すように、配線回路Ｇが、第１端子台Ａ１と第２端子台Ｂ２との二つの端子台Ｔを備えるものとして、第１端子台Ａ１に対する電線Ｄの接続状態を中心に説明する。
【００２９】
端子台Ｔは、図２に示す如く、電気的に接続された一対の電線接続部ＣＮの組を複数組備えるものであって、本実施形態の端子台Ｔは、図１に示す如く、６組備えている。そして、それらの電線接続部ＣＮの組を、便宜上、図１における上端側から下端側に向けて、第１組〜第６組と呼称する。
また、第１端子台Ａ１における各組の一対の電線接続部ＣＮのうちで、第２端子台Ｂ２との間で電線Ｄにて接続される電線接続部ＣＮ（図１において右側）を、内部側の電線接続部ＣＮと呼称し、第１端子台Ａ１における各組の一対の電線接続部ＣＮのうちで、図外の端子台Ｔとの間で電線Ｄにて接続される電線接続部ＣＮ（図１において左側）を、外部側の電線接続部ＣＮと呼称する。
【００３０】
図１に示す配線回路Ｇは、第１端子台Ａ１における第１組の外部側の電線接続部ＣＮ、第２組の外部側の電線接続部ＣＮ、及び、第５組の外部側の電線接続部ＣＮの夫々に、電線Ｄとして、外部側第１電線ｄ１、外部側第２電線ｄ２、外部側第５電線ｄ５が接続されている。
また、第１端子台Ａ１における第２組の外部側の電線接続部ＣＮと第３組の外部側の電線接続部ＣＮとに亘って、電線Ｄとして、両者を接続する外部側第３電線ｄ３が接続されている。
【００３１】
同様に、第１端子台Ａ１における第３組の外部側の電線接続部ＣＮと第４組の外部側の電線接続部ＣＮとに亘って、電線Ｄとして、両者を接続する外部側第４電線ｄ４が接続され、加えて、第１端子台Ａ１における第５組の外部側の電線接続部ＣＮと第６組の外部側の電線接続部ＣＮとに亘って、電線Ｄとして、両者を接続する外部側第６電線ｄ６が接続されている。
【００３２】
また、第１端子台Ａ１における第１組の内部側の電線接続部ＣＮに、電線Ｄとして、第２端子台Ｂ２の第１組の電線接続部ＣＮに接続された内部側第１電線Ｄ１が接続され、同様に、第４組の内部側の電線接続部ＣＮに、電線Ｄとして、第２端子台Ｂ２の第５組の電線接続部ＣＮに接続された内部側第２電線Ｄ２が接続され、加えて、第６組の内部側の電線接続部ＣＮに、電線Ｄとして、第２端子台Ｂ２の第６組の電線接続部ＣＮに接続された内部側第３電線Ｄ３が接続されている。
【００３３】
（配線回路用管理装置の構成）
図１に示すように、複数の電線Ｄが端子台Ｔを経由して接続された配線回路Ｇを管理する管理部Ｈを備えた配線回路用管理装置が設けられている。
管理部Ｈは、各種の情報を手動で入力する入力部として、キーボードＫ及びマウスＭを備え、画像表示部としてのディスプレイＳを備え、また、第１端子台Ａ１に対応して設けた第１中継器Ｎ１及び第２端子台Ｂ２に対応して設けた第２中継器Ｎ２に対して通信自在に接続されている。
【００３４】
図２に示すように、電線Ｄの端部には、接続用端子１が接続され、その接続部が被覆カバー２にて覆われている。そして、電線Ｄの接続用端子１が端子台Ｔの電線接続部ＣＮの夫々に設けた締結ビス３にて締付固定される状態で、電線Ｄが電線接続部ＣＮに接続されるように構成されている。
【００３５】
電線Ｄの夫々における端子台Ｔとの接続側端部に、当該電線Ｄの固有識別情報を記憶するＩＣタグＦが設けられている。本実施形態においては、ＩＣタグＦは、電線Ｄの被覆カバー２に装着する形態で設けられている。
【００３６】
端子台Ｔにおける複数の電線接続部ＣＮの夫々には、当該電線接続部ＣＮに接続された電線Ｄに設けたＩＣタグＦが記憶する固有識別情報を読み取るリーダーＲが設けられている。尚、リーダーＲが、ＩＣタグＦが記憶する固有識別情報を適正通り読み取ることができたときには、電線接続部ＣＮに電線Ｄが接続された状態であり、ＩＣタグＦが記憶する固有識別情報を読み取ることができないときは、電線接続部ＣＮに電線Ｄが接続されない状態である。
そして、リーダーＲの読み取り情報が、第１中継器Ｎ１及び第２中継器Ｎ２を経由して、管理部Ｈに通信されるように構成されている。
尚、第１中継器Ｎ１及び第２中継器Ｎ２は、管理部Ｈの構成要素として機能するものである。
【００３７】
ちなみに、管理部Ｈには、リーダーＲが装着されている端子台Ｔを他の端子台Ｔと区別する情報としての端子台識別情報、及び、当該端子台Ｔにおける複数の電線接続部ＣＮのうちのいずれにリーダーＲが設置されているかを示す情報を含むリーダー位置情報が、リーダーＲの位置情報として予め入力されている。
つまり、管理部Ｈには、複数の端子台Ｔを識別するための端子台識別情報が、端子台Ｔの設置位置を示す端子台位置情報と関連付ける状態で記憶され、加えて、リーダー位置情報として、各端子台Ｔの複数の電線接続部ＣＮの識別情報とリーダーＲの識別情報とが関連付けて記憶されている。
【００３８】
そして、管理部Ｈが、図３に示すように、リーダーＲの読み取り情報及びリーダーＲの位置情報に基づいて、端子台Ｔの電線接続部ＣＮと当該電線接続部ＣＮに接続された電線Ｄとの関係を示す配線情報をディスプレイＳに表示するように構成されている。
本実施形態においては、複数の端子台Ｔの１つを指定することにより、指定された端子台Ｔに接続されている電線Ｄの接続状態を示す画像を、配線情報として表示するように構成されている。
図３においては、第１端子台Ａ１についての配線情報を、第１端子台Ａ１及び電線Ｄを疑似画像にて表示する形態で配線情報を表示するように構成されている。
【００３９】
配線情報の表示形態について説明を加えると、第１端子台Ａ１の疑似画像には、第１組〜第６組の一対の電線接続部ＣＮの組に対応させて、１〜６の数値が表示されている。
加えて、第１組の内部側の電線接続部ＣＮに接続された内部側第１電線Ｄ１が、第２端子台Ｂ２の第１組の電線接続部ＣＮに接続されていることを示す接続情報として、「Ｂ２−１」が表示され、第４組の内部側の電線接続部ＣＮに接続された内部側第２電線Ｄ２が、第２端子台Ｂ２の第５組の電線接続部ＣＮに接続されていること示す接続情報として、「Ｂ２−５」が表示され、加えて、第６組の内部側の電線接続部ＣＮに接続された内部側第３電線Ｄ３が、第２端子台Ｂ２の第６組の電線接続部ＣＮに接続されていることを示す接続情報として、「Ｂ２−６」が記載されている。
【００４０】
ちなみに、「Ｂ２−１」「Ｂ２−５」「Ｂ２−６」の接続情報に代えて、第２端子台Ｂ２の疑似画像を第１端子台Ａ１と同様に表示し、内部側第１電線Ｄ１、内部側第２電線Ｄ２、及び、内部側第３電線Ｄ３の疑似画像を、第２端子台Ｂ２の疑似画像と第１端子台Ａ１の疑似画像とを接続する状態で表示させるようにしてもよい。
【００４１】
また、図２に示すように、端子台Ｔには、複数の電線接続部ＣＮの夫々に対応して当該電線接続部ＣＮであることを点灯表示する点灯表示部Ｌが設けられ、第１中継器Ｎ１及び第２中継器Ｎ２が、管理部Ｈからの指令情報に基づいて、点灯表示部Ｌを点灯表示するように構成されている。
つまり、端子台Ｔにおける複数の電線接続部ＣＮの１つを指定する指定部Ｐが、上述したキーボードＫ及びマウスＭにて構成されている。
そして、指定部Ｐにて電線接続部ＣＮが指定されると、管理部Ｈが指定された情報を第１中継器Ｎ１及び第２中継器Ｎ２に指令し、第１中継器Ｎ１及び第２中継器Ｎ２が指定された電線接続部ＣＮに対応する点灯表示部Ｌを点灯表示させるように構成されている。
【００４２】
ちなみに、指定部ＰとしてのキーボードＫ及びマウスＭにて、複数の電線接続部ＣＮの１つを指定する形態としては、例えば、第１組の内部側の電線接続部ＣＮを指定する際に、端子台Ｔの疑似画像における第１組の内部側の電線接続部ＣＮに対応する箇所をクリックする等、指定する電線接続部ＣＮに対応する箇所をクリックする形態を採用できるが、その他、端子台Ｔの識別用情報や電線接続部ＣＮの識別情報を予め定めておき、それらの識別情報を入力する形態を採用してもよい。
【００４３】
本実施形態においては、点灯表示部Ｌとして、電線Ｄを外すことを点灯表示する解線用表示部Ｌ１と電線Ｄを接続することを点灯表示する結線用表示部Ｌ２とが、異なる色を表示する形態で設けられている。異なる色としては、例えば、赤と青等を採用できる。
また、指定部Ｐが、電線Ｄを外すことを示す解線情報と電線Ｄを接続することを示す結線情報とを指令する形態で、電線接続部を指定するように構成されている。
そして、指定された電線接続部ＣＮが解線情報を指令されている場合には、解線用表示部Ｌ１を点灯表示させ、且つ、指定された電線接続部ＣＮが結線情報を指令されている場合には、結線用表示部Ｌ２を点灯表示させるように構成されている。
【００４４】
ちなみに、指定部Ｐにて解線情報を指定した場合には、図５及び図７に示すように、解線する電線Ｄの疑似画像が、他の電線Ｄの疑似画像とは異なる色に着色された状態等、異なる状態で表示されるように構成されている。
また、指定部Ｐにて結線情報を指定した場合には、図９及び図１１に示すように、接続する電線Ｄを示す疑似画像が、他の電線Ｄの疑似画像とは異なる色に着色された状態等、異なる状態で表示されるように構成されている。
【００４５】
（配線改造作業の詳細）
次に、上述した配線回路Ｇを、図４に示すように、改造する場合を代表して、点灯表示部Ｌ及び指定部Ｐについて説明を加える。
ちなみに、図４においては、外部側第４電線ｄ４を外し、代わりに、新たな外部側第７電線ｄ７を第４組の外部側の電線接続部ＣＮに接続し、内部側第２電線Ｄ２を、第４組の内部側の電線接続部ＣＮから第３組の内部側の電線接続部ＣＮに付替え、新たな内部側第４電線Ｄ４を第４組の内部側の電線接続部ＣＮに接続する場合を例示するものである。
【００４６】
図５に示すように、ディスプレイＳに表示されている配線情報を監視しながら、解線を指令し、かつ、外部側第４電線ｄ４が接続されている第４組の外部側の電線接続部ＣＮを指定すると、図６に示すように、第４組の外部側の電線接続部ＣＮに対応する解線用表示部Ｌ１が点灯表示することになる。
そして、点灯表示に従って、外部側第４電線ｄ４を外すと、図５に示すように、外部側第４電線ｄ４が外された配線情報がディスプレイＳに表示されることになる。
【００４７】
図７に示すように、ディスプレイＳに表示されている配線情報を監視しながら、解線を指令し、かつ、内部側第２電線Ｄ２が接続されている第４組の内部側の電線接続部ＣＮを指定すると、図８に示すように、第４組の内部側の電線接続部ＣＮに対応する解線用表示部Ｌ１が点灯表示することになる。
そして、点灯表示に従って、内部側第４電線Ｄ４を外すと、図７に示すように、内部側第２電線Ｄ２が外された配線情報がディスプレイＳに表示されることになる。
【００４８】
図９に示すように、ディスプレイＳに表示されている配線情報を監視しながら、結線を指令し、かつ、第４組の外部側の電線接続部ＣＮを指定すると、図１０に示すように、第４組の外部側の電線接続部ＣＮに対応する結線用表示部Ｌ２が点灯表示することになる。
そして、点灯表示に従って、新たに接続する外部側第７電線ｄ７を第４組の外部側の電線接続部ＣＮに接続すると、図９に示すように、外部側第７電線ｄ７が接続された配線情報がディスプレイＳに表示されることになる。
【００４９】
図１１に示すように、ディスプレイＳに表示されている配線情報を監視しながら、結線を指令し、かつ、第４組の内部側の電線接続部ＣＮを指定することにより、図１２に示すように、第４組の内部側の電線接続部ＣＮに対応する結線用表示部Ｌ２が点灯表示することになる。
そして、点灯表示に従って、新たに接続する内部側第４電線Ｄ４を第４組の内部側の電線接続部ＣＮに接続すると、図１１に示すように、内部側第４電線Ｄ４が接続された配線情報がディスプレイＳに表示されることになる。
尚、内部側第４電線Ｄ４は、第２端子台Ｂ２の第２組の接続端子に接続されているため、内部側第４電線Ｄ４に対応させて、「Ｂ２−２」が表示される。
【００５０】
図１３に示すように、ディスプレイＳに表示されている配線情報を監視しながら、結線を指令し、かつ、第３組の内部側の電線接続部ＣＮを指定することにより、図１４に示すように、第３組の内部側の電線接続部ＣＮに対応する結線用表示部Ｌ２が点灯表示することになる。
そして、点灯表示に従って、上述の如く外しておいた内部側第２電線Ｄ２を第３組の内部側の電線接続部ＣＮに接続すると、図１３に示すように、内部側第２電線Ｄ２が接続された配線情報がディスプレイＳに表示されることになる。
【００５１】
〔別実施形態〕
以下、別実施形態を列記する。
（１）上記実施形態では、端子台Ｔとして、一対の電線接続部ＣＮの組を６組備える端子台Ｔを例示したが、本発明は、電線接続部ＣＮの設置数が異なる各種の端子台Ｔに対して適用できる。
【００５２】
（２）上記実施形態では、画像表示部としてのディスプレイＳが、端子台Ｔ及び電線Ｄを疑似画像にて表示しながら配線情報を表示する場合を例示したが、端子台Ｔの電線接続部ＣＮの識別情報と電線Ｄの固有識別情報とを表形式で表示させるようにする等、配線情報の表示形態は各種変更できる。
【００５３】
（３）上記実施形態では、ＩＣタグＦを電線Ｄの被覆カバー２に装着する場合を例示したが、電線Ｄの本体部分や接続用端子１にＩＣタグＦを装着する等、ＩＣタグＦの装着形態は種々変更できる。
【００５４】
（４）上記実施形態では、指定された電線接続部ＣＮを点灯表示する点灯表示部Ｌを設けるようにしたが、点灯表示部Ｌに代えて、あるいは、点灯表示部Ｌに加えて、配線作業の対象となる電線接続部ＣＮ以外の電線接続部ＣＮに対する配線作業を阻止する阻止部を設けるようにしてもよい。阻止部としては、例えば、電線接続部ＣＮの上部を遮蔽する蓋部を設ける構成や、締結ビス３の回転をロックするロック機構を設ける構成が考えられる。
【００５５】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００５６】
Ｄ      電線
Ｇ      配線回路
Ｆ      ＩＣタグ
Ｈ      管理部
Ｌ      点灯表示部
Ｌ１    解線用表示部
Ｌ２    結線用表示部
Ｐ      指定部
Ｒ      リーダー
Ｓ      画像表示部
【図１】
2018164350.tif 000003
【図２】
2018164350.tif 000004
【図３】
2018164350.tif 000005
【図４】
2018164350.tif 000006
【図５】
2018164350.tif 000007
【図６】
2018164350.tif 000008
【図７】
2018164350.tif 000009
【図８】
2018164350.tif 000010
【図９】
2018164350.tif 000011
【図１０】
2018164350.tif 000012
【図１１】
2018164350.tif 000013
【図１２】
2018164350.tif 000014
【図１３】
2018164350.tif 000015
【図１４】
2018164350.tif 000016